(57)【要約】【課題】窒素系化合物およびイオウ系化合物の悪臭に対し、優れた脱臭効果を有した環境浄化剤およびその使用方法を提供する。【解決手段】鋼材の酸洗工程から排出される使用済み酸洗液からなる、又は、脱臭有効成分として前記酸洗液を含有する環境浄化剤。前記環境浄化剤を用い、コンポストを脱臭することを特徴とする環境浄化剤の使用方法。【選択図】            図１
2004208768.tif 000002
【特許請求の範囲】
【請求項１】
鋼材の酸洗工程から排出される使用済み酸洗液からなる、又は、脱臭有効成分として前記酸洗液を含有する環境浄化剤。
【請求項２】
前記酸洗液を主成分とすることを特徴とする請求項１に記載の環境浄化剤。
【請求項３】
請求項１又は２に記載の環境浄化剤を用い、コンポストを脱臭することを特徴とする環境浄化剤の使用方法。
【発明の詳細な説明】
【０００１】
【発明の属する技術分野】
本発明はコンポスト、更に詳しくは家畜、ペット類の糞尿による悪臭及び悪臭源物質を除去する環境浄化剤およびそれを用いたコンポストの脱臭方法に関する。
【０００２】
【従来の技術】
人、家畜そしてペット等が発する悪臭の成分として考えられているものとしてアンモニア、アミン等の窒素系化合物と、硫化水素、メルカプタン、チオカルボニル化合物等の硫黄系化合物が挙げられる。一般に、これら悪臭の除去に用いられている方法としては、香料を利用したマスキング法、活性炭、ゼオライト、サイクロデキストリン等の吸着作用を利用した物理的消臭法、、酸性やアルカリ性の化合物を用いる中和反応や、悪臭自体を加熱することで分解する熱分解反応等を利用した化学的消臭法、あるいは、曝気、スクラバーを利用した生物的消臭法等が知られている。中でも化学的消臭法は、形態、使用条件を選ばず取り扱いやすいことから数多く検討されてきた。 以下に代表的な化学的消臭法を示す。
【０００３】
特許文献１には、、炭酸水素ナトリウム、含水ケイ酸マグネシウム、メタケイ酸マグネシウムおよび界面活性剤を配合した動物糞尿脱臭剤が記載されている。
【０００４】
特許文献２には、２価鉄化合物と、Ｌ−アスコルビン酸及び明ばんを含有してなる脱臭性を有する組成物が記載されている。
【０００５】
特許文献３には、鉄、コバルト等の金属イオンを含む化合物と単体硫黄とを共存させた空気清浄力を有する組成物が記載されている。
【０００６】
【特許文献１】
特公昭５７−１６８１７号公報
【０００７】
【特許文献２】
特公昭６４−２３７８号公報
【０００８】
【特許文献３】
特開平５−２９３３６３号公報
【０００９】
【発明が解決しようとする課題】
しかしながら、いずれの技術も、窒素系化合物およびイオウ系化合物の悪臭に等しく消臭効果が得られない、脱臭剤の使用構成成分が多い等の問題がある。
【００１０】
本発明はかかる事情を鑑みてなされたものであり、窒素系化合物およびイオウ系化合物の悪臭に対し、優れた脱臭効果を有した環境浄化剤およびコンポストの脱臭方法を提供することを目的とする。
【００１１】
【課題を解決するための手段】
本発明者らは、上記課題を解決するために鋭意検討した結果、製鉄所の酸洗工程から排出される廃液等の酸洗液に優れた消臭効果があることを見いだし、本発明に至った。すなわち、本発明は以下を特徴とする。
［１］鋼材の酸洗工程から排出される使用済み酸洗液からなる、又は、脱臭有効成分として前記酸洗液を含有する環境浄化剤。
［２］上記［１］において、前記酸洗液を主成分とすることを特徴とする環境浄化剤。
［３］上記［１］又は［２］に記載の環境浄化剤を用い、コンポストを脱臭することを特徴とする環境浄化剤の使用方法。
である。
【００１２】
【発明の実施の形態】
以下、本発明を詳細に説明する。
【００１３】
本発明で環境浄化剤の一部もしくは主成分として用いる酸洗液とは、製鉄所熱延工場、冷延工場等の酸洗工程から排出される使用済み酸洗液すなわち廃液等であり、成分として、Ｆｅ、Ｍｎ、Ｍｇ、Ｃａ、Ｓｉ等を含み、ｐＨが１〜７の酸性液である。
【００１４】
前記酸洗液を環境浄化剤の一部もしくは主成分として用いる場合、脱臭効果の点から、環境浄化剤中の鉄（Ｆｅ）量が５〜１５％となるように、添加することが好ましい。また、前記酸洗液を水で１０〜１,０００倍程度に希釈する等、適宜、使用目的、使用条件に合わせ、環境浄化剤を調整して使用することも可能である。
【００１５】
このように、本発明は、環境浄化剤の一部もしくは主成分として上記酸洗液を用いることを特徴とする。ここで、酸洗液を元素分析した結果、鉄（Ｆｅ）を主成分とし、Ｆｅ以外にＭｎ、Ｍｇ、Ｃａ、Ｓｉ等が含まれていることがわかった。これより、酸性液の消臭効果はＦｅを中心に各成分が複合的に関わり合い、相乗効果により得られていると考えられる。
【００１６】
本発明の環境浄化剤は、使用しやすくする目的から有効成分に補助剤を添加し、撹拌、混合して調製することができる。また、安定剤、噴射剤などを適宜添加することもできる。
【００１７】
本発明の環境浄化剤は、消臭効果を高めるために、明ばんを添加することができる。その場合、明ばんの種類はなんら制限はないがナトリウム鉄明ばん（ＮａＦｅ（ＳＯ4）2・１２Ｈ2Ｏ）やカリウム鉄明ばん（KＦｅ（ＳＯ4）2・１２Ｈ2Ｏ）などの鉄系の明ばんを用いることが環境に対する負荷の低減の点から好ましい。
【００１８】
また、本発明の環境浄化剤は、悪臭の臭いを打ち消すマスキング効果のために、香料を添加することができる。金属の酸化を防ぐために、アミノ酸または有機酸を添加することができる。そして、pＨの上昇を抑え悪臭を吸収する能力を高めるために、硫酸または塩酸を添加することができる。
【００１９】
さらに、本発明の環境浄化剤は木酢液等の公知の環境浄化剤を添加して使用してもよい。
【００２０】
このようにして得られた本発明の環境浄化剤は、悪臭、悪臭源物質に直接散布、噴霧、塗布することができ、また家畜の糞尿や堆肥やその周囲に処理し悪臭の除去を行なうことができる。
【００２１】
さらに、本発明の環境浄化剤は上述の液型の他にも適当な基材に保持させることで、消臭作用を有するフィルム、シート、家具部材または建材等の消臭材とすることができる。ここで用いられる基材としてはポリエチレン、ポリプロピレン、ポリアミド、ポリ塩化ビニル、ポリエステル等の合成樹脂シート；動植物繊維または無機質繊維（紙、布、不織布、皮革等）；上記合成樹脂と動植物繊維体または無機質繊維との混合シート、混紡布、不織布；アルミニウム、ステンレス銅、亜鉛等の金属の箔またはフィルム；これらシートの積層物；建築材料等に用いる各種天然木材やプラスチックの成型物等が挙げられる。これらの基材に、塗布、含浸、滴下、混練により保持させることにより消臭材が得られる。基材中の環境浄化剤の含有量に特には制限はなく、用途に応じ適宜決定することができ、通常、基材に対し１〜８０重量％部の範囲である。
【００２２】
以上により得られた本発明の環境浄化剤を用いて、コンポストを脱臭することを本発明の特徴とする。コンポストを脱臭するにあたっては、本発明の環境浄化剤を用いて行えばよく、特に脱臭方法については限定しない。
【００２３】
【実施例】
１．アンモニアガス吸収試験
図１の装置を用い、アンモニアガス吸収試験を行った。図１はアンモニアガス吸収試験を行うにあたって用いた実験装置の簡略図である。図１において、１はアンモニアボンベ（濃度：１００ｐｐｍ）、２は流量計、３、４は吸収管である。
【００２４】
まず、試験体１５ ｍｌを吸収管３に、１Ｍ硫酸１５ ｍｌを吸収管４に加え、図１に示すようにライン上にアンモニアボンベ側から吸収管３、吸収管４を並べた。次いで、１００ ｐｐｍのアンモニアガスをアンモニアボンベ１より、３ Ｌ／ｍｉｎで吸収管３へ送り込み、吸収管３にアンモニアガスを送り込んでから５分後、吸収管３中の試験体および吸収管４中の硫酸溶液中のアンモニア濃度をインドフェノール法により測定した。なお、この時、試験体としては、下記に示す溶液を用いた。
試験体：１． 酸洗液（製鉄所熱延工場酸洗工程から排出された廃液）、２．蒸留水、３． ＦｅＣｌ2 （１ ｍＭ）、 ４． ＦｅＳＯ4 （１ ｍＭ）、５． ＨＣｌ （１ｍＭ）、６． Ｈ2ＳＯ4 （１ｍＭ）
得られた結果を図２に示す。
【００２５】
図２は、各試験体のアンモニアガス吸収率を示したものである。図２より、本発明である酸洗液は他の試験体を用いた場合と比較して、アンモニアガスの吸収量が高く、優れた脱臭効果を有していることがわかる。
【００２６】
２．アンモニアガス蒸発抑制試験
図３の装置を用い、アンモニアガス蒸発試験を行った。図３はアンモニアガス蒸発試験を行うにあたって用いた実験装置の簡略図である。図３において、５は湯浴、６、７は吸収管である。
【００２７】
まず、アンモニアを５０ｍｇ−Ｎ／Ｌになるように添加した試験体６０ｍｌを吸収管６に加え、湯浴５を８０℃まで加熱することにより、吸収管６内に含まれる試験体を蒸発させた。次いで、１Ｍ硫酸３０ｍｌを含む吸収管７に吸引にて蒸発した試験体を取り込み、試験体が完全に蒸発した時点で吸収管７への吸引は終了した。その後、吸収管６に残存した試験体の乾固物を１５ ｍｌの１Ｍ 硫酸溶液にて溶解し、吸収管６内の試験体中に残存したアンモニア量をインドフェノール法にて測定した。と同時に、吸引により吸収管７へ取り込んだ硫酸溶液中に含まれる蒸気についても、アンモニア量をインドフェノール法にて測定した。なお、この時、試験体としては、下記に示す溶液を用いた。
試験体：１． 酸洗液（製鉄所熱延工場酸洗工程から排出された廃液）、２．蒸留水、３． ＦｅＣｌ2 （１ ｍＭ）、 ４． ＦｅＳＯ4 （１ ｍＭ）、
得られた結果を図４に示す。
【００２８】
図４は、各試験体のアンモニアガス蒸発抑制率を示したものである。図４より、本発明である酸洗液は他の試験体を用いた場合と比較して、アンモニアガスが蒸発することなく、試験体（酸洗液）内に高い割合で残存していることがわかる。これにより、本発明は優れた脱臭効果を有していることがわかる。
【００２９】
３．コンポストの脱臭試験
試験体を０．５ｍｌ染み込ませたろ紙（直径２．５ ｃｍ）とアンモニアガスを３００〜５００ ｐｐｍ程度発生するコンポストをテドラーバッグ（５Ｌ）に入れシールした。次いで、前記テドラーバッグに窒素ガスを満タンになるよう５Ｌ入れた。一定時間後、検知管を用いて残存アンモニア濃度を測定した。なお、この時、試験体としては、１．酸洗液（１０倍希釈液）（製鉄所熱延工場酸洗工程から排出された廃液）、２．蒸留水、３．硫酸第一鉄（ＦｅＳＯ4）（０．１Ｍ）、４．硫酸（０．１Ｍ）、５．明ばん（０．０５Ｍ）を用いた。結果を図５に示す。
【００３０】
図５は、各試験体の時間とアンモニアガス濃度との関係を示したものである。図５より、本発明である酸洗液を用いた場合、残存アンモニアガス濃度は低く、コンポストから発生するアンモニアガスが酸洗液（試験体）により効率よく吸収されていることがわかる。また、経時的に劣化することなく、脱臭効果は維持されている。以上より、本発明の環境浄化剤は優れた脱臭効果を有している。
【００３１】
【発明の効果】
以上、本発明によれば、家畜、ペット類による悪臭および悪臭源物質の除去にまんべんなく効果が得られ、簡単に製造でき、人畜に対し安全性が高い環境浄化剤を得ることができる。
【００３２】
また、廃液を利用しているため、環境面、環境に負荷を与えず、安価であり、取り扱いが容易である。
【図面の簡単な説明】
【図１】アンモニアガス吸収試験実験装置の簡略図。
【図２】各試験体のアンモニアガス吸収率を示す図。
【図３】アンモニアガス蒸発試験実験装置の簡略図。
【図４】各試験体のアンモニアガス蒸発抑制率を示す図。
【図５】各試験体の時間とアンモニアガス濃度との関係を示す図。
【符号の説明】
１  アンモニアボンベ
２  流量計
３、４吸収管
５  湯浴
６、７  吸収管
【図１】
2004208768.tif 000003
【図２】
2004208768.tif 000004
【図３】
2004208768.tif 000005
【図４】
2004208768.tif 000006
【図５】
2004208768.tif 000007